(57)【要約】【課題】  高級感のある鍵をコストアップすることなく適正状態に組み付けることのできる鍵構造を提供すること。【解決手段】  鍵盤装置に取り付けられて回動支点を中心に先端部が上下方向に回動する白鍵２０を、キートップ部２１ａと前木口部２１ｂからなる上板体２１と、上板体２１の内面側に一体的に設置された木質部２２とで構成した。そして、木質部２２の上面先端部と前面上部との間に傾斜面２４を形成し、この傾斜面２４と、上板体２１におけるキートップ部２１ａの下面と前木口部２１ｂの内面に形成された曲面２３との間に隙間を設けた。また、この隙間に流体固形化物質からなる接着剤部２５を形成した。【選択図】  図２
2005227638.tif 000002
【特許請求の範囲】
【請求項１】
鍵盤装置に取り付けられて回動支点を中心に先端部が上下方向に回動する鍵の上面部と前面部を構成する第１の部品と、前記第１の部品の内面側に一体的に設置された第２の部品とからなる鍵構造であって、
前記第１の部品における前記上面部の下面と前記前面部の内面との角部に形成される凹屈曲部と、前記第１の部品の上面部の下面と前面部の内面に対向する前記第２の部品の上面と前面との角部で形成される凸屈曲部との間に隙間を設けたことを特徴とする鍵構造。
【請求項２】
前記隙間に流体固形化物質からなる第３の部品を充填した請求項１に記載の鍵構造。
【請求項３】
前記隙間を、前記第２の部品の凸屈曲部を切り欠くことによって形成した請求項１または２に記載の鍵構造。
【請求項４】
前記隙間を、前記第１の部品の凹屈曲部に、凹部を設けることによって形成した請求項１または２に記載の鍵構造。
【請求項５】
鍵盤装置に取り付けられて回動支点を中心に先端部が上下方向に回動する鍵の上面部と前面部を構成する第１の部品と、前記第１の部品の内面側に一体的に設置された第２の部品とからなる鍵構造であって、
前記第１の部品における上面部の下面と前記第２の部品の上面とを当接させて固定するとともに、前記第１の部品の前面部の内面と前記第２の部品の前面との間に隙間を設け、前記隙間に流体固形化物質からなる第３の部品を充填したことを特徴とする鍵構造。
【発明の詳細な説明】
【技術分野】
【０００１】
本発明は、鍵盤装置が備える鍵の鍵構造に関する。
【背景技術】
【０００２】
従来から、複数の鍵を配置した鍵盤装置においては、質感を向上させるために演奏時の押鍵操作の際に露呈する鍵の一部を木材で構成することが行われている（例えば、特許文献１参照）。この鍵盤装置の鍵は、鍵の後部から下部前方に延びる鍵ベース体と、鍵の上面部と前面部とを構成する上板体とで鍵に木質感を付与するための木質部を挟みこんで構成されている。すなわち、押鍵時には、押鍵した鍵の隣の鍵の側面の一部が演奏者から見え、これにより、鍵構造に高級感がでるように構成されている。
【特許文献１】特開２００３−２７１１２７号公報
【発明の開示】
【０００３】
しかしながら、前述した従来の鍵盤装置における鍵構造では、上板体を構成する上面部と前面部との内面の屈曲部および木質部における前記屈曲部に対向する角部分はともに直角になるように設計されており、上板体は樹脂成形により製造されている。この上板体の成形における寸法精度を高めることが難しく、上板体の内面の屈曲部が曲面状になってしまうことがある。このため、上板体に木質部を組み込んだときに、木質部が、上板体内の奥部までにしっかりと入らず浮いた状態（屈曲部近傍における上板体の内面と木質部の表面とがしっかりと接触していない状態）になることがあった。
【０００４】
この結果、鍵の見栄えが悪くなったり、木質部が脱落しやすくなったりするという問題が生じていた。また、木質部を適正状態で上板体に組み込むために、上板体の屈曲部を修正加工して設計通りの角部にする場合には、鍵の他の部分に傷や割れ等が生じないように注意をしながら作業を行わなければならない面倒な工程が必要になり、コストアップにつながるという問題が生じる。
【０００５】
本発明は、前述した問題に対処するためになされたもので、その目的は、高級感のある鍵をコストアップすることなく適正状態に組み付けることのできる鍵構造を提供することである。
【０００６】
前述した目的を達成するため、本発明にかかる鍵構造の構成上の特徴は、鍵盤装置に取り付けられて回動支点を中心に先端部が上下方向に回動する鍵の上面部と前面部を構成する第１の部品と、第１の部品の内面側に一体的に設置された第２の部品とからなる鍵構造であって、第１の部品における上面部の下面と前面部の内面との角部に形成される凹屈曲部と、第１の部品の上面部の下面と前面部の内面に対向する第２の部品の上面と前面との角部で形成される凸屈曲部との間に隙間を設けたことにある。
【０００７】
このように構成した本発明の鍵構造では、第１の部品における上面部の下面（内面）と前面部の内面との角部に形成される凹屈曲部と、この凹屈曲部に対向する第２の部品の角部に形成される凸屈曲部との間に隙間が設けられているため、凹屈曲部と凸屈曲部とが互いに干渉することがなくなる。したがって、第１の部品に、第２の部品を組み込んだときに、第２の部品が、第１の部品内にしっかりと入らず浮いた状態になるといったことがなくなる。これによって、鍵の見栄えが悪くなったり、第２の部品が脱落しやすくなったりする問題が生じなくなる。また、この場合の第２の部材は、鍵に高級感を出すためのものであり、木材や木目模様等の模様が施された材料で構成される。
【０００８】
また、本発明にかかる鍵構造の他の構成上の特徴は、隙間に流体固形化物質からなる第３の部品を充填したことにある。この第３の部品としては、固まると木の色になる接着剤や固化したときに弾性を有する弾性物質になる材料等を用いることができる。これによると、第１の部品と第２の部品との間の隙間が埋まるため、隙間が横から見えて質感を低下させるといったことを防止でき、見栄えを向上することができる。
【０００９】
また、本発明にかかる鍵構造のさらに他の構成上の特徴は、隙間を、第２の部品の凸屈曲部を切り欠くことによって形成したことにある。これによると、第１の部品における上面部の下面と前面部の内面との間に形成される凹屈曲部が、直角の角部にならずに、丸い曲面等になっても、凹屈曲部と凸屈曲部とが干渉することを確実に防止でき、第１の部品への第２の部品の組み込みを適正な状態にすることができる。
【００１０】
また、本発明にかかる鍵構造のさらに他の構成上の特徴は、隙間を、第１の部品の凹屈曲部に、凹部を設けることによって形成したことにある。これによると、第１の部品の凹屈曲部に凹部を形成するため、第２の部品の凸屈曲部にささくれなどの突部が生じた場合でも、第１の部品に第２の部品を適性状態で組み込むことができる。
【００１１】
また、本発明にかかる鍵構造のさらに他の構成上の特徴は、鍵盤装置に取り付けられて回動支点を中心に先端部が上下方向に回動する鍵の上面部と前面部を構成する第１の部品と、第１の部品の内面側に一体的に設置された第２の部品とからなる鍵構造であって、第１の部品における上面部の下面と第２の部品の上面とを当接させて固定するとともに、第１の部品の前面部の内面と第２の部品の前面との間に隙間を設け、隙間に流体固形化物質からなる第３の部品を充填したことにある。
【００１２】
これによると、第１の部品の前面部と第２の部品の前面との間に隙間があるため、第１の部品に、第２の部品を適性状態で容易に組み込むことができるとともに、その間に第３の部品を充填しているため、第１の部品の前面部と第２の部品の前面とが干渉してノイズを発生するといったことが防止できる。また、この第３の部品を接着剤で構成した場合、第２の部品を第１の部品に確実に固定することができる。
【発明を実施するための最良の形態】
【００１３】
（第１実施形態）
以下、本発明の第１実施形態を図面を用いて説明する。図１は、本発明の第１実施形態にかかる鍵構造を構成する白鍵１０の一部（先端側部分）を示している。この白鍵１０は、鍵盤装置（図示せず）の上面における手前側（演奏者側）に黒鍵とともに複数個並べられるもので、それぞれ長手方向を前後に向けて設置される。この白鍵１０は、硬質の合成樹脂を一体成形することにより形成した本発明の第１の部品としての上板体１１と、木材からなる本発明の第２の部品としての木質部１２とで構成されている。
【００１４】
上板体１１は、白鍵１０の上面部を構成するキートップ部１１ａと、白鍵１０の前面部を構成する前木口部１１ｂとで構成されている。前木口部１１ｂは、キートップ部１１ａの下面における先端部から僅かに後方の部分から下方に、キートップ部１１ａとの角度が略直角になるようにして設けられている。また、本発明の凹屈曲部を構成するキートップ部１１ａと前木口部１１ｂとの内面側の角部は小さな半径の曲面１３に形成されている。また、前木口部１１ｂは、キートップ部１１ａと比較して肉薄に形成され弾性を有している。
【００１５】
木質部１２は、断面形状が四角形の角棒で構成されており、上板体１１の曲面１３に対向する本発明の凸屈曲部としての角部が切り欠かれて傾斜面１４に形成されている。木質部１２は、上面をキートップ部１１ａの下面に接触させ、前面を前木口部１１ｂの内面に接触させた状態で、上板体１１内に組み込まれている。また、上板体１１と木質部１２との接触する部分は接着剤によって固定されている。
【００１６】
このように構成された白鍵１０は、成形された上板体１１の内面または木質部１２の上面と前面とに、接着剤を塗布し、曲面１３と傾斜面１４とを対向させるようにして、上板体１１内に木質部１２を押し込むことにより組み付けられる。この際、前木口部１１ｂが弾性を有しているとともに、木質部１２に傾斜面１４が形成されているため、木質部１２を上板体１１の奥端まで挿入することができる。これによって、木質部１２の上面とキートップ部１１ａの下面および木質部１２の前面と前木口部１１ｂの内面とが密接するようになり、その状態で接着剤によって固定される。
【００１７】
したがって、木質部１２から上板体１１が外れて浮いてしまったり脱落したりすることがなくなり、強度に優れた白鍵１０を得ることができる。また、白鍵１０の形状を均一にすることができるため複数の白鍵１０を鍵盤装置に並べたときに見栄えがするようになる。さらに、白鍵１０の側面は、木質部１２の側面で構成されているため、鍵盤装置を演奏する際には、演奏者からは、木質部１２の木目模様が見えるようになり高級感が増すようになる。
【００１８】
（第２実施形態）
図２は、本発明の第２実施形態にかかる鍵構造を構成する白鍵２０の一部（先端側部分）を示している。この白鍵２０は、白鍵１０の上板体１１および木質部１２とそれぞれ同一構造の上板体２１と木質部２２とを備えており、上板体２１は、キートップ部２１ａと前木口部２１ｂとで構成されている。そして、上板体２１に形成された曲面２３と木質部２２に形成された傾斜面２４との間には、本発明の第３の部品としての接着剤部２５が形成されている。
【００１９】
この接着剤部２５は、例えば、流体固形化物質で構成され固化した際に弾性を有する部分を構成するウレタン系の接着剤を充填することにより形成される。また、この接着剤部２５は木材のような色をして、木質部２２との間の境界部が見えにくいようになっている。この白鍵２０のそれ以外の部分の構成は、前述した白鍵１０と同一である。また、このように構成したため、上板体２１と木質部２２との間に隙間がなくなり、見栄えが向上する。この白鍵２０のそれ以外の作用効果は、前述した白鍵１０と同様である。
【００２０】
（第３実施形態）
図３は、本発明の第３実施形態にかかる鍵構造を構成する白鍵３０の一部（先端側部分）を示している。この白鍵３０では、上板体３１を構成するキートップ部３１ａと前木口部３１ｂとの内部側の角部に、角部に沿って略円形の凹部３３が形成されている。また、四角形の角棒で構成された木質部３２の上面先端部と前面上部との間には傾斜面が設けられてなく、木質部３２の先端上部の角部は、上板体３１の凹部３３に対向するように位置決めされている。この白鍵３０のそれ以外の部分の構成については、前述した白鍵１０と同一である。
【００２１】
このように構成したため、上板体３１に木質部３２を組み付ける際に、木質部３２の角部に加工不良による突部等が生じていてもその突部が凹部３３内に入るようになり、木質部３２を上板体３１内に適正状態で組み付けることができる。この白鍵３０のそれ以外の作用効果は、前述した白鍵１０と同様である。
【００２２】
（第４実施形態）
図４は、本発明の第４実施形態にかかる鍵構造を構成する白鍵４０の一部（先端側部分）を示している。この白鍵４０では、上板体４１を構成するキートップ部４１ａと前木口部４１ｂとの内部側の角部が直角に形成されている。また、木質部４２は、長手方向の長さが短く設定されて、木質部４２の前面と前木口部４１ｂの内面との間には隙間が形成されている。そして、その隙間には、接着剤層３５が形成されている。この接着剤層３５は、図２に示した接着剤部２５と同じ材料で構成されている。この白鍵４０のそれ以外の部分の構成については、前述した白鍵１０と同一である。
【００２３】
このように構成したため、上板体４１への木質部４２の組み付けが容易になる。また、前木口部４１ｂが、接着剤層３５を介して木質部４２の前部に確実に支持されるため、前木口部４１ｂが振動して雑音が発生したりすることが防止できる。この白鍵４０のそれ以外の作用効果は、前述した白鍵１０と同様である。
【００２４】
また、本発明に係る鍵構造は、前述した各実施形態に限るものでなく、適宜変更実施が可能である。例えば、前述した各実施形態においては、木質部１２，２２，３２，４２を木材で構成したが、この木質部１２等は、側面に木目模様や他の高級感を出せる模様を施した合成樹脂材料で構成することもできる。また、上板体１１（，３１）を構成するキートップ部１１ａ（，３１ａ）と前木口部１１ｂ（，３１ｂ）との内部側の角部と、木質部１２（，３２）の角部に設ける隙間は、前述した傾斜面１４や凹部３３を形成することに限らず他の形状の切り欠き部や凹部を設けることにより形成してもよい。
【図面の簡単な説明】
【００２５】
【図１】本発明の第１実施形態による白鍵の一部を示す側面図である。
【図２】本発明の第２実施形態による白鍵の一部を示す側面図である。
【図３】本発明の第３実施形態による白鍵の一部を示す側面図である。
【図４】本発明の第４実施形態による白鍵の一部を示す側面図である。
【符号の説明】
【００２６】
１０，２０，３０，４０…白鍵、１１，２１，３１，４１…上板体、１１ａ，２１ａ，３１ａ，４１ａ…キートップ部、１１ｂ，２１ｂ，３１ｂ，４１ｂ…前木口部、１２，２２，３２，４２…木質部、１３，２３…曲面、１４，２４…傾斜面、２５…接着剤部、３３…凹部、３５…接着剤層。
【図１】
2005227638.tif 000003
【図２】
2005227638.tif 000004
【図３】
2005227638.tif 000005
【図４】
2005227638.tif 000006